(57)【要約】  本発明は、空気清浄機を備えた冷蔵庫に関する。本発明では、所定の貯蔵空間が形成される本体と、前記本体の一方に固定され、少なくとも一つの吸入口と吐出口が形成されるケースと、前記吐出口を選択的に開閉するために、直線往復動するデコパネルと、前記吸入口から吸入される空気をろ過するフィルタ部と、前記吸入口から空気を吸入し、前記フィルタ部でろ過された空気を前記吐出口から吐出させる送風装置と、前記吐出口から空気と共に吐出される陰イオンを発生させる陰イオン発生装置とを有する空気清浄機とで構成される。本発明によると、空気清浄機が冷蔵庫の上面にさらに堅固に装着され、製品の構成が簡単となり、製品の動作信頼性が増進すると共に、製品の強度が増加され、製品の製造原価および作業工程を節減することができ、製品の作動中に発生する振動により騒音が発生し、または製品の耐久性が低下することを防止することができる。
2008502873.tif 000002
【特許請求の範囲】
【請求項１】
所定の貯蔵空間が形成される本体と、
前記本体の一方に固定され、少なくとも一つの吸入口と吐出口が形成されるケースと、前記吐出口を選択的に開閉するために、直線往復動するデコパネルと、前記吸入口から吸入される空気をろ過するフィルタ部と、前記吸入口から空気を吸入し、前記フィルタ部でろ過された空気を前記吐出口から吐出させる送風装置と、前記吐出口から空気と共に吐出される陰イオンを発生させる陰イオン発生装置とを有する空気清浄機と
を備えることを特徴とする空気清浄機を備えた冷蔵庫。
【請求項２】
前記ケースの一方には、ステップモータに連結されるギアが設けられ、
前記デコパネルの裏面には、前記ギアに噛み合わされるラックが前後に長く設けられ、
前記ステップモータの駆動によりギアが回転すると、前記ラックが前後に移動し、前記デコパネルが前記ケースの前後に直線往復動することを特徴とする請求項１に記載の空気清浄機を備えた冷蔵庫。
【請求項３】
前記ケースの前面の外観を形成するデコハウジングには、
前記ラックが貫通するラック貫通開口と、前記係止フックが貫通するフック貫通開口と、前記ラック貫通開口とフック貫通開口をそれぞれ貫通する前記ラックとフックの移動を案内するためのガイド部とが設けられることを特徴とする請求項２に記載の空気清浄機を備えた冷蔵庫。
【請求項４】
前記空気清浄機には、前記デコパネルの直線往復動を制御するストッピング手段がさらに設けられることを特徴とする請求項１に記載の空気清浄機を備えた冷蔵庫。
【請求項５】
前記ストッピング手段は、
前記ケースとデコパネルのいずれか一方に設けられる係止フックと、
前記ケースとデコパネルの他方に設けられるストッパーとで構成され、
前記デコパネルが前記ケースの前方に移動し、前記吐出口が開放すると、前記係止フックが前記ストッパーに係止されることにより、前記デコパネルが前記ケースの前方に完全に取り外されることを防止することを特徴とする請求項４に記載の空気清浄機を備えた冷蔵庫。
【請求項６】
前記フィルタ部は、
前記吸入口から吸入される空気を浄化する少なくとも一つのフィルタと、
前記フィルタが内部に収納されるフィルタバスケットと、
前記フィルタバスケットが載置された状態で、前記ケースの内外部に着脱自在に設けられるフィルタ引出部とを備えることを特徴とする請求項１に記載の空気清浄機を備えた冷蔵庫。
【請求項７】
前記フィルタは、
前記吸入口から吸入される空気中の細菌を除去する抗菌フィルタと、
前記抗菌フィルタを通過した空気中の油分を除去する第１の集塵フィルタと、
前記第１の集塵フィルタを通過した空気中のほこりを除去する第２の集塵フィルタと、
前記第２の集塵フィルタを通過した空気中の悪臭を除去する脱臭フィルタとを備えることを特徴とする請求項６に記載の空気清浄機を備えた冷蔵庫。
【請求項８】
前記フィルタバスケットは、
前記フィルタが収納される収納空間が設けられ、上面と長手方向の両側面が開口した六面体状に形成されるバスケット本体と、
前記バスケット本体の開口した両側面に設けられ、前記収納空間の入口からバスケット本体の内部に向けて段付きになる複数個の支持リブと、
前記バスケット本体の前後面の内側と底面に設けられ、前記収納空間に収納される前記フィルタを所定の位置に固定するための複数個のガイドリブとを備え、
二つの金型により射出成形されることを特徴とする請求項６に記載の空気清浄機を備えた冷蔵庫。
【請求項９】
前記空気清浄機には、前記送風装置が駆動する過程で発生する振動が、前記空気清浄機および本体に伝達されることを防止する振動防止手段がさらに設けられることを特徴とする請求項１に記載の空気清浄機を備えた冷蔵庫。
【請求項１０】
前記振動防止手段は、
前記ケースの天井と底面の対応する位置に設けられ、その先端が前記送風装置の上面または下面の一方に隣接して向かい合う方向に突出する支持ボスと、
前記支持ボスの先端から向かい合う方向に突出され、前記ファンハウジングの側面に対応する形状に形成される側面ガイドと、
前記側面ガイドの一面に設けられ、前記ファンハウジングの側面に密着するシール部と、
前記支持ボスの先端に設けられ、前記送風装置の上面または下面に密着する振動吸収部とを備えることを特徴とする請求項９に記載の空気清浄機を備えた冷蔵庫。
【請求項１１】
前記ケースの底面に固定される一対の固定部と、
前記本体の上面に結合される結合部とで構成され、
前記固定部に対する前記結合部の弾性により、前記空気清浄機を前記本体に装着する装着ブラケットをさらに備えることを特徴とする請求項１に記載の空気清浄機を備えた冷蔵庫。
【請求項１２】
前記固定部には、前記ケースの底面に締め付けられる締付具が貫通する締付孔が形成され、
前記結合部には、前記本体の上面に固定される結合ピンのヘッド部が貫通する貫通孔と、前記貫通孔を貫通した前記結合ピンのヘッド部が挟まれた状態で、弾性により固定されるスリットとが設けられていることを特徴とする請求項１１に記載の空気清浄機を備えた冷蔵庫。
【請求項１３】
所定の貯蔵空間が形成される本体と、
前記本体の一方に固定され、少なくとも一つの吸入口と吐出口が形成されるケースと、前記吸入口から吸入される空気をろ過するフィルタ部と、前記吸入口から空気を吸入し、前記フィルタ部でろ過された空気を前記吐出口から吐出させる送風装置とを備える空気清浄機を含み、
前記フィルタ部は、
前記吸入口から吸入される空気を浄化する少なくとも一つのフィルタと、
前記フィルタが内部に収納されるフィルタバスケットと、
前記フィルタバスケットが載置された状態で、前記ケースの内外部に着脱自在に設置されるフィルタ引出部とを備えることを特徴とする空気清浄機を備えた冷蔵庫。
【請求項１４】
前記フィルタは、
前記吸入口から吸入される空気中の細菌を除去する抗菌フィルタと、
前記抗菌フィルタを通過した空気中の油分を除去する第１の集塵フィルタと、
前記第１の集塵フィルタを通過した空気中のほこりを除去する第２の集塵フィルタと、
前記第２の集塵フィルタを通過した空気中の悪臭を除去する脱臭フィルタとを備えることを特徴とする請求項１３に記載の空気清浄機を備えた冷蔵庫。
【請求項１５】
前記フィルタバスケットは、
前記フィルタが収納される収納空間が設けられ、上面と長手方向の両側面が開口した六面体状に形成されるバスケット本体と、
前記バスケット本体の開口した両側面に設けられ、前記収納空間の入口からバスケット本体の内部に向けて段付きになる複数個の支持リブと、
前記バスケット本体の前後面の内側と底面に設けられ、前記収納空間に収納される前記フィルタを所定の位置に固定するための複数個のガイドリブとを備え、
二つの金型により射出成形されることを特徴とする請求項１４に記載の空気清浄機を備えた冷蔵庫。
【請求項１６】
所定の貯蔵空間が形成される本体と、
前記本体の一方に固定され、少なくとも一つの吸入口と吐出口が形成されるケースと、前記吸入口から吸入される空気をろ過するフィルタ部と、前記吸入口から空気を吸入し、前記フィルタ部でろ過された空気を前記吐出口から吐出させる送風装置と、前記送風装置が駆動する過程で発生する振動が、前記空気清浄機および本体に伝達されることを防止する振動防止手段とを備える空気清浄機を含み、
前記振動防止手段は、
前記ケースの天井と底面の対応する位置に設けられ、その先端が、前記送風装置の上面または下面の一方に隣接して向かい合う方向に突出される支持ボスと、
前記支持ボスの先端から向かい合う方向に突出され、前記ファンハウジングの側面に対応する形状に形成される側面ガイドと、
前記側面ガイドの一面に設けられ、前記ファンハウジングの側面に密着するシール部と、
前記支持ボスの一面に設けられ、前記送風装置の上面または下面に密着する振動吸収部と
を備えることを特徴とする空気清浄機を備えた冷蔵庫。
【請求項１７】
所定の貯蔵空間が形成される本体と、
前記本体の一方に固定され、少なくとも一つの吸入口と吐出口が形成されるケースと、前記吸入口から吸入される空気をろ過するフィルタ部と、前記吸入口から空気を吸入し、前記フィルタ部でろ過された空気を前記吐出口から吐出させる送風装置とを備える空気清浄機と、
前記ケースの底面に固定される一対の固定部と、前記本体の上面に結合される結合部とが設けられ、前記固定部に対する前記結合部の弾性により、前記空気清浄機を前記本体に装着する装着ブラケットと
を備えることを特徴とする空気清浄機を備えた冷蔵庫。
【請求項１８】
前記固定部には、前記ケースの底面に締め付けられる締付具が貫通する締付孔が形成され、
前記結合部には、前記本体の上面に固定される結合ピンのヘッド部が貫通する貫通孔と、前記貫通孔を貫通した前記結合ピンのヘッド部が挟まれた状態で、弾性により固定されるスリットとが設けられることを特徴とする請求項１７に記載の空気清浄機を備えた冷蔵庫。
【請求項１９】
所定の貯蔵空間が形成される本体と、
前記本体の一方に固定され、少なくとも一つの吸入口と吐出口が形成されるケースと、前記吐出口から吐出される空気を少なくとも２方向以上に案内する複数個のルーバーブレードと、前記吸入口から吸入される空気をろ過するフィルタ部と、前記吸入口から空気を吸入し、前記フィルタ部でろ過された空気を前記吐出口から吐出させる送風装置と、前記吐出口から空気と共に吐出される陰イオンを発生させる陰イオン発生装置とを有する空気清浄機と
を備えることを特徴とする空気清浄機を備えた冷蔵庫。
【請求項２０】
前記ルーバーブレードは、二つ以上の領域に区分けされる前記吐出口の各領域に垂直に並設され、
前記吐出口の各領域に設けられる前記ルーバーブレードは、その上下端がそれぞれ互いに連結されることを特徴とする請求項１９に記載の空気清浄機を備えた冷蔵庫。
【請求項２１】
前記吐出口の各領域に設けられる前記ルーバーブレードは、同一の方向または互いに反対する方向に選択的に回転することを特徴とする請求項２０に記載の空気清浄機を備えた冷蔵庫。
【請求項２２】
前記吐出口は、上下方向に段付きになるように形成される複数個の領域に区分けされることを特徴とする請求項１９乃至２１のいずれか一項に記載の空気清浄機を備えた冷蔵庫。
【発明の詳細な説明】
【技術分野】
【０００１】
本発明は、冷蔵庫に関し、より詳しくは、室内空気を浄化するための空気清浄機が、本体の上面に設けられる冷蔵庫に関する。
【背景技術】
【０００２】
冷蔵庫は、食品を冷蔵または冷凍させて新鮮さを維持した状態で長期間保管するための電子製品である。本明細書では、冷凍室と冷蔵室が左右に並立して形成されるサイドバイサイドタイプを参考として説明する。
【０００３】
図１は、従来の技術による空気清浄機を供えた冷蔵庫を示している。
【０００４】
図１に示すように、冷蔵庫１０の上面には、空気清浄機１００が着脱自在に設けられている。前記空気清浄機１００は、ケース１１０と、フィルタ部１２０と、送風装置１３０と、陰イオン発生装置１４０とを備えている。前記ケース１１０には、空気が入り出しする吸入口Ｉと吐出口Ｏが形成されている。前記フィルタ部１２０は、前記吸入口Ｉから吸入される空気をろ過する役割をする。前記送風装置１３０は、前記吸入口Ｉから空気を吸入し、前記フィルタ部１２０でろ過された空気を前記吐出口Ｏから吐出させる役割をする。前記陰イオン発生装置１４０は、前記吐出口Ｏから空気と共に吐出される陰イオンを発生させる。
【０００５】
前記ケース１１０は、送風ケース１１２とフィルタケース１１６とで構成される。前記送風ケース１１２は、両端が開口した平らな六面体状に形成される。前記フィルタケース１１６は、前記送風ケース１１２の両端にそれぞれ連通する。前記送風ケース１１２の前面には、前記吐出口Ｏが形成される。また、前記送風ケース１１２の内部に、前記送風装置１３０と陰イオン発生装置１４０が設けられている。
【０００６】
また、前記送風ケース１１２の底面には、一対のガイド溝１１０ａ、１１０ｂが形成される。前記ガイド溝１１０ａ、１１０ｂには、前記冷蔵庫１０の上面に設けられる一対のガイドレール１０ａ、１０ｂが挿入されている。
【０００７】
一方、前記フィルタケース１１６の外側端部には、それぞれ吸入口Ｉが形成される。また、前記フィルタケース１１６の内部には、前記フィルタ部１２０が着脱自在に設けられている。前記フィルタケース１１６は、前記送風ケース１１２に挟まれた状態で、それぞれ左右に移動可能に設けられる。また、前記フィルタケース１１６の底面には、一対の支持部１１６ａが設けられる。前記支持部１１６ａは、前記送風ケース１１２と水平を維持できるように、前記冷蔵庫１０の上面に支持される。
【０００８】
また、前記吸入口Ｉには、吸入グリルＧが装着されている。前記吸入グリルＧには、ろ過網が設けられる。前記ろ過網は、前記吸入口Ｉから吸入される空気中の異物をろ過する役割をする。また、前記フィルタケース１１６の前面には、フィルタ装着開口１１６ｈとガイドリブ１１６Ｌがそれぞれ形成されている。前記フィルタ装着開口１１６ｈとガイドリブ１１６Ｌは、前記フィルタ部１２０の着脱のためのものである。
【０００９】
前記フィルタ部１２０は、フィルタ引出部１２６と、抗菌フィルタ１２２と、集塵フィルタ１２３と、脱臭フィルタ１２４とで構成されている。前記フィルタ引出部１２６は、上面が開口した略直方体状に形成される。前記フィルタ引出部１２６は、前記フィルタ装着開口１１６ｈを通じて、前記フィルタケース１１６の内部に装着される。
【００１０】
図示してはいないが、前記フィルタケース１１６または／および前記フィルタ引出部１２６には、固定手段が設けられる。前記固定手段は、前記フィルタ引出部１２６が、前記フィルタケース１１６の内部に装着された状態で、不意に取り外されることを防止する役割をする。
【００１１】
また、前記フィルタ引出部１２６は、前記ガイドリブ１１６Ｌによりガイドされる。また、前記フィルタ引出部１２６の内部には、複数個のガイド部１２８ａが設けられている。前記ガイド部１２８ａは、前記フィルタ１２２、１２３、１２４を固定するためのものである。
【００１２】
前記フィルタ引出部１２６の内部には、抗菌フィルタ１２２と、集塵フィルタ１２３と、脱臭フィルタ１２４とが、その外側端部からそれぞれ順次設けられている。前記抗菌フィルタ１２２と、集塵フィルタ１２３と、脱臭フィルタ１２４とは、空気中の各種の細菌、ほこり、および悪臭を除去する役割をする。
【００１３】
前記送風装置１３０は、送風ファン（図示せず）と、ファンハウジング１３２と、駆動モータ（図示せず）とで構成されている。前記送風ファンは、軸方向に吸入された空気を円周方向に吐出させる軸流ファンが用いられる。前記ファンハウジング１３２の内部には、前記送風ファンが設けられる。前記駆動モータは、前記送風ファンを駆動させる役割をする。前記ファンハウジング１３２は、前記送風ケース１１２の底面に設けられるボス（図示せず）に、スクリュー（図示せず）により固定される。また、前記駆動モータにより、前記送風ファンが駆動すると、前記ファンハウジング１３２の下部から空気が吸入され、前方に吐出される。
【００１４】
また、前記送風ケース１１２の内部には、エアガイド１３４が設けられる。前記エアガイド１３４は、前記送風装置１３０により、前記吸入口Ｉから吸入された空気が、前記吐出口Ｏから吐出されるように案内する。また、前記送風ケース１１２の内部は、前記エアガイド１３４により、吸入流路ａと吐出流路ｂとに区分けされる。
【００１５】
一方、前記陰イオン発生装置１４０は、前記送風装置１３０に隣接した前記吐出流路Ｂの一方に設けられる。前記陰イオン発生装置１４０で発生した陰イオンは、前記送風装置１３０により送風された空気と共に、前記吐出口Ｏから外部に吐出される。
【００１６】
また、前記送風ケース１１２の前面の一方には、表示部１５２が設けられる。前記表示部１５２は、前記空気清浄機１００の動作状態を外部に示す役割をする。また、前記表示部１５２に隣接した前記送風ケース１１２の前面の一方には、操作部１５４が設けられる。前記操作部１５４は、前記空気清浄機１００を動作させるために各種の操作信号を入力される。
【００１７】
しかしながら、このように構成される従来の技術による空気清浄機を備えた冷蔵庫には、以下のような問題点があった。
【００１８】
従来、前記本体１０の上面に形成される前記ガイドレール１０ａ、１０ｂが、前記ケース１１０の底面に形成されるガイド溝１１０ａ、１１０ｂにそれぞれ挿入されることにより、前記空気清浄機１００が冷蔵庫に装着される。ところが、前記ガイドレール１０ａ、１０ｂが、前記ガイド溝１１０ａ、１１０ｂに挿入された状態で、前後方への移動を防止するための別途の手段が設けられていない。したがって、使用者の不注意により、前記空気清浄機１００が装着された状態で、不意に移動することがあり得る。
【００１９】
また、前記吐出口Ｏを開閉し、これから吐出される空気の方向を制御するために、複数個のルーバーが設けられている。したがって、前記ルーバーを回動させるための構成も、ルーバーの個数だけ必要とされる。このため、製品を構成する部品の点数が増加し、作業工程も増加するようになるという短所が発生する。
【００２０】
また、前記ルーバーは、互いに連結された状態で連動して回動するようになる。したがって、前記ルーバーのいずれか一つが動作異常を生じると、前記吐出口Ｏが開口せず、前記空気清浄機１００が動作しないようになる。すなわち、前記空気清浄機１００の動作信頼性が低下する恐れがある。
【００２１】
上述のように、前記フィルタ引出部１２６は、フィルタ１２２、１２３、１２４の着脱および前記フィルタ１２２、１２３、１２４を通過する空気の流動のために、上面および両側面が開口した六面体状に形成される。したがって、前記フィルタ引出部１２６の両側面から作用する外力により、フィルタ引出部１２６そのものまたは前記フィルタ１２２、１２３、１２４が損傷する現象が生じ得る。
【００２２】
また、これを補完するために、前記フィルタ引出部１２６の前後面の両端を連結する支持リブが設けられてもよい。ところが、このように、前記フィルタ引出部１２６に支持リブが設けられる場合は、前記フィルタ引出部１２６を射出成形するために、２つの金型の他、コアをさらに必要とするという短所があった。
【００２３】
また、前記ファンハウジング１３２は、前記送風ケース１１２の底面に設けられるボスに、スクリューにより固定される。したがって、前記ファンハウジング１３２の内部に設けられる送風ファンが駆動しながら発生する振動が、ファンハウジング１３２とボスを介して、前記空気清浄機１００と冷蔵庫に伝達される。したがって、空気清浄機の動作の際に発生する振動により、室内に騒音が発生し得る。また、このような振動により、前記空気清浄機１００または冷蔵庫を構成する部品が損傷しまたは結合部分が緩くなり、製品の耐久性が低下するという問題点があった。
【００２４】
それだけではなく、前記ルーバーは、互いに連結された状態で連動して回動しながら吐出風向が調節される。したがって、使用環境に応じて、様々な吐出風向を具現することができないという短所もあった。
【発明の開示】
【発明が解決しようとする課題】
【００２５】
本発明は、上記問題点に鑑みなされたものであり、空気清浄機が冷蔵庫にさらに堅固に装着可能に構成される空気清浄機を備えた冷蔵庫を提供することを目的とする。
【００２６】
また、より簡単に構成される空気清浄機を備えた冷蔵庫を提供することを他の目的とする。
【００２７】
また、製品の動作信頼性を増加させるように構成される空気清浄機を備えた冷蔵庫を提供することをまた他の目的とする。
【００２８】
また、フィルタの損傷を最小化するように構成される空気清浄機を備えた冷蔵庫を提供することをさらに他の目的とする。
【００２９】
また、別途のコアを使用せず、二つの金型により射出成形できるように構成される空気清浄機を備えた冷蔵庫を提供することをさらに他の目的とする。
【００３０】
また、空気清浄機の動作過程において発生する振動を最小化するように構成される空気清浄機を備えた冷蔵庫を提供することをさらに他の目的とする。
【００３１】
また、浄化された空気を、様々な方向に吐出可能に構成される空気清浄機を備えた冷蔵庫を提供することをさらに他の目的とする。
【課題を解決するための手段】
【００３２】
上記の目的を達成するため、本発明による空気清浄機を備えた冷蔵庫は、所定の貯蔵空間が形成される本体と、前記本体の一方に固定され、少なくとも一つの吸入口と吐出口が形成されるケースと、前記吐出口を選択的に開閉するために、直線往復動するデコパネルと、前記吸入口から吸入される空気をろ過するフィルタ部と、前記吸入口から空気を吸入し、前記フィルタ部でろ過された空気を前記吐出口から吐出させる送風装置と、前記吐出口から空気と共に吐出される陰イオンを発生させる陰イオン発生装置とを有する空気清浄機とで構成される。
【００３３】
また、前記ケースの一方には、ステップモータに連結されるギアが設けられ、前記デコパネルの裏面には、前記ギアに噛み合わされるラックが前後に長く設けられ、前記ステップモータの駆動によりギアが回転すると、前記ラックが前後に移動し、前記デコパネルが前記ケースの前後に直線往復動することを特徴とする。
【００３４】
前記ケースの前面の外観を形成するデコハウジングには、前記ラックが貫通するラック貫通開口と、前記係止フックが貫通するフック貫通開口と、前記ラック貫通開口とフック貫通開口をそれぞれ貫通する前記ラックとフックの移動を案内するためのガイド部とが設けられることを特徴とする。
【００３５】
前記空気清浄機には、前記デコパネルの直線往復動を制御するストッピング手段がさらに設けられることを特徴とする。
【００３６】
前記ストッピング手段は、前記ケースとデコパネルのいずれか一方に設けられる係止フックと、前記ケースとデコパネルの他方に設けられるストッパーとで構成され、前記デコパネルが前記ケースの前方に移動し、前記吐出口が開放すると、前記係止フックが前記ストッパーに係止されることにより、前記デコパネルが前記ケースの前方に完全に取り外されることを防止することを特徴とする。
【００３７】
前記フィルタ部は、前記吸入口から吸入される空気を浄化する少なくとも一つのフィルタと、前記フィルタが内部に収納されるフィルタバスケットと、前記フィルタバスケットが載置された状態で、前記ケースの内外部に着脱自在に設けられるフィルタ引出部とで構成されることを特徴とする。
【００３８】
前記フィルタは、前記吸入口から吸入される空気中の細菌を除去する抗菌フィルタと、前記抗菌フィルタを通過した空気中の油分を除去する第１の集塵フィルタと、前記第１の集塵フィルタを通過した空気中のほこりを除去する第２の集塵フィルタと、前記第２の集塵フィルタを通過した空気中の悪臭を除去する脱臭フィルタとで構成されることを特徴とする。
【００３９】
前記フィルタバスケットは、前記フィルタが収納される収納空間が設けられ、上面と長手方向の両側面が開口した六面体状に形成されるバスケット本体と、前記バスケット本体の開口した両側面に設けられ、前記収納空間の入口からバスケット本体の内部に向けて段付きになる複数個の支持リブと、前記バスケット本体の前後面の内側と底面に設けられ、前記収納空間に収納される前記フィルタを所定の位置に固定するための複数個のガイドリブとで構成され、二つの金型により射出成形されることを特徴とする。
【００４０】
前記空気清浄機には、前記送風装置が駆動する過程で発生する振動が、前記空気清浄機および本体に伝達されることを防止する振動防止手段がさらに設けられることを特徴とする。
【００４１】
前記振動防止手段は、前記ケースの天井と底面の対応する位置に設けられ、その先端が前記送風装置の上面または下面の一方に隣接して向かい合う方向に突出する支持ボスと、前記支持ボスの先端から向かい合う方向に突出され、前記ファンハウジングの側面に対応する形状に形成される側面ガイドと、前記側面ガイドの一面に設けられ、前記ファンハウジングの側面に密着するシール部と、前記支持ボスの先端に設けられ、前記送風装置の上面または下面に密着する振動吸収部とで構成されることを特徴とする。
【００４２】
前記ケースの底面に固定される一対の固定部と、前記本体の上面に結合される結合部とで構成され、前記固定部に対する前記結合部の弾性により、前記空気清浄機を前記本体に装着する装着ブラケットをさらに備えることを特徴とする。
【００４３】
前記固定部には、前記ケースの底面に締め付けられる締付具が貫通する締付孔が形成され、前記結合部には、前記本体の上面に固定される結合ピンのヘッド部が貫通する貫通孔と、前記貫通孔を貫通した前記結合ピンのヘッド部が挟まれた状態で、弾性により固定されるスリットとが形成されることを特徴とする。
【００４４】
また、本発明による空気清浄機を備えた冷蔵庫は、所定の貯蔵空間が形成される本体と、前記本体の一方に固定され、少なくとも一つの吸入口と吐出口が形成されるケースと、前記吸入口から吸入される空気をろ過するフィルタ部と、前記吸入口から空気を吸入し、前記フィルタ部でろ過された空気を前記吐出口から吐出させる送風装置とを備える空気清浄機を含み、前記フィルタ部は、前記吸入口から吸入される空気を浄化する少なくとも一つのフィルタと、前記フィルタが内部に収納されるフィルタバスケットと、前記フィルタバスケットが載置された状態で、前記ケースの内外部に着脱自在に設置されるフィルタ引出部とで構成されることを特徴とする。
【００４５】
前記フィルタは、前記吸入口から吸入される空気中の細菌を除去する抗菌フィルタと、前記抗菌フィルタを通過した空気中の油分を除去する第１の集塵フィルタと、前記第１の集塵フィルタを通過した空気中のほこりを除去する第２の集塵フィルタと、前記第２の集塵フィルタを通過した空気中の悪臭を除去する脱臭フィルタとで構成されることを特徴とする。
【００４６】
前記フィルタバスケットは、前記フィルタが収納される収納空間が設けられ、上面と長手方向の両側面が開口した六面体状に形成されるバスケット本体と、前記バスケット本体の開口した両側面に設けられ、前記収納空間の入口からバスケット本体の内部に向けて段付きになる複数個の支持リブと、前記バスケット本体の前後面の内側と底面に設けられ、前記収納空間に収納される前記フィルタを所定の位置に固定するための複数個のガイドリブとで構成され、二つの金型により射出成形されることを特徴とする。
【００４７】
また、本発明による空気清浄機を備えた冷蔵庫は、所定の貯蔵空間が形成される本体と、前記本体の一方に固定され、少なくとも一つの吸入口と吐出口が形成されるケースと、前記吸入口から吸入される空気をろ過するフィルタ部と、前記吸入口から空気を吸入し、前記フィルタ部でろ過された空気を前記吐出口から吐出させる送風装置と、前記送風装置が駆動する過程で発生する振動が、前記空気清浄機および本体に伝達されることを防止する振動防止手段とを備える空気清浄機を含み、前記振動防止手段は、前記ケースの天井と底面の対応する位置に設けられ、その先端が、前記送風装置の上面または下面の一方に隣接して向かい合う方向に突出される支持ボスと、前記支持ボスの先端から向かい合う方向に突出され、前記ファンハウジングの側面に対応する形状に形成される側面ガイドと、前記側面ガイドの一面に設けられ、前記ファンハウジングの側面に密着するシール部と、前記支持ボスの一面に設けられ、前記送風装置の上面または下面に密着する振動吸収部とを備えることを特徴とする。
【００４８】
また、本発明による空気清浄機を備えた冷蔵庫は、所定の貯蔵空間が形成される本体と、前記本体の一方に固定され、少なくとも一つの吸入口と吐出口が形成されるケースと、前記吸入口から吸入される空気をろ過するフィルタ部と、前記吸入口から空気を吸入し、前記フィルタ部でろ過された空気を前記吐出口から吐出させる送風装置とを備える空気清浄機と、前記ケースの底面に固定される一対の固定部と、前記本体の上面に結合される結合部とが設けられ、前記固定部に対する前記結合部の弾性により、前記空気清浄機を前記本体に装着する装着ブラケットとで構成される。
【００４９】
前記固定部には、前記ケースの底面に締め付けられる締付具が貫通する締付孔が形成され、前記結合部には、前記本体の上面に固定される結合ピンのヘッド部が貫通する貫通孔と、前記貫通孔を貫通した前記結合ピンのヘッド部が挟まれた状態で、弾性により固定されるスリットとが形成されることを特徴とする。
【００５０】
また、本発明による空気清浄機を備えた冷蔵庫は、所定の貯蔵空間が形成される本体と、前記本体の一方に固定され、少なくとも一つの吸入口と吐出口が形成されるケースと、前記吐出口から吐出される空気を少なくとも２方向以上に案内する複数個のルーバーブレードと、前記吸入口から吸入される空気をろ過するフィルタ部と、前記吸入口から空気を吸入し、前記フィルタ部でろ過された空気を前記吐出口から吐出させる送風装置と、前記吐出口から空気と共に吐出される陰イオンを発生させる陰イオン発生装置とを有する空気清浄機とで構成される。
【００５１】
前記ルーバーブレードは、二つ以上の領域に区分けされる前記吐出口の各領域に垂直に並設され、前記吐出口の各領域に設けられる前記ルーバーブレードは、その上下端がそれぞれ互いに連結されることを特徴とする。
【００５２】
前記吐出口の各領域に設けられる前記ルーバーブレードは、同一の方向または互いに反対する方向に選択的に回転することを特徴とする。
【００５３】
前記吐出口は、上下方向に段付きになるように形成される複数個の領域に区分けされることを特徴とする。
【発明の効果】
【００５４】
このように構成される本発明による空気清浄機を備えた冷蔵庫によれば、以下のような効果が期待される。
【００５５】
まず、冷蔵庫の本体の上面の一方に固定された結合ピンと空気清浄機の底面に固定された装着ブラケットにより、前記空気清浄機を冷蔵庫の本体に装着する。この際、前記装着ブラケットの弾性により、前記本体と空気清浄機が装着された状態が維持されるので、両者がより堅固に装着され得る。
【００５６】
一方、前記空気清浄機の吐出口が、空気清浄機の前後に移動するデコパネルにより開閉される。したがって、前記吐出口の開閉のために必要な構成の点数が節減されるので、製品の構成がより簡単になる。
【００５７】
また、このような前記デコパネルの動作が、一対のモータとギア、およびラックにより簡単に行われる。また、噛み合わされる係止フックとストッパーにより、前記デコパネルが、前記空気清浄機から取り外されることが防止される。したがって、製品の誤動作を最小化することができるので、製品の動作信頼性が増加する。
【００５８】
使用者の強制的な作動や製品の誤動作により、前記デコパネルが、一方が他方に比べて相対的に空気清浄機の前方に向けて突出した状態で移動することがあり得る。この際、前記デコパネルの状態を補正し、製品の動作が正常に行われるようになる。
【００５９】
それだけではなく、空気を浄化するためのフィルタを通過する空気の流動のために、開口するフィルタバスケットの両側面に支持リブが設けられる。したがって、前記フィルタを保護可能となると共に、前記フィルタバスケットの強度が補強される効果が発生する。
【００６０】
また、前記フィルタバスケットは、二つの金型により射出成形することができるようになる。したがって、製品の製造原価および作業工程を節減することができる。
【００６１】
また、空気清浄機の内部に空気を吸入し、外部に排出させる送風装置の動作過程において、振動が生じるようになる。しかしながら、このような振動は、振動防止手段により外部に伝達されることが防止される。したがって、空気清浄機の動作中に発生する振動により、騒音が発生し、または製品の耐久性が低下することを防止可能となる。
【００６２】
一方、前記吐出口の領域を複数個に区分けし、それぞれの領域に設けられるルーバーブレードが互いに連動するように設けられる。したがって、前記吐出口の領域毎に様々な吐出方向を具現し、空気清浄機の周辺に位置される障害物との干渉を防止し、浄化された空気をより広い空間に吐出することが可能となる。
【発明を実施するための最良の形態】
【００６３】
以下、このように構成される本発明による空気清浄機を備えた冷蔵庫の好適な実施形態を添付の図面を参照して詳細に説明する。
【００６４】
図２および図３は、本発明による空気清浄機を備えた冷蔵庫の好適な実施形態を構成する空気清浄機の内部と底面をそれぞれ示し、図４は、図２に示した実施形態を構成するデコパネルがケースに連結される構造を示し、図５は、図２に示したラック貫通開口とフック貫通開口を有するデコハウジングの一部を示し、図６および図７は、図２に示した実施形態を構成するフィルタとフィルタバスケットを示し、図８乃至図１０は、図２に示した実施形態を構成するファンハウジングがケースに装着される構造を示し、図１１は、図３に示した装着ブラケットを示している。
【００６５】
図２および図３に示すように、冷蔵庫本体２０の上面に、室内の空気を浄化するための空気清浄機２００が設けられている。前記空気清浄機２００の外観をケース２１０が形成する。前記ケース２１０は、送風ケース２１２と一対のフィルタケース２１６で構成される。前記送風ケース２１２には、ろ過された空気が吐出される吐出口Ｏが設けられる。また、前記フィルタケース２１６には、前記ケース２１０の内部に空気が吸入される吸入口Ｉがそれぞれ設けられている。
【００６６】
前記送風ケース２１２は、上面と正面および両端が開口した平らな六面体状に形成される。前記送風ケース２１２の上面は、ケースカバー（図示せず）により遮蔽される。また、前記送風ケース２１２の底面には、収納部２１２ａと複数個の締付ボス２１２ｂが設けられる。
【００６７】
前記収納部２１２ａには、後述する装着ブラケット２６０が収納される。前記収納部２１２ａは、略前記送風ケース２１２の底面の前端の中央に設けられる。また、前記締付ボス２１２ｂには、後述するデコハウジング２５０の締付孔２５４ａを貫通した締付具（図示せず）が締め付けられる。
【００６８】
前記吐出口Ｏは、前記送風ケース２１２の前面に設けられるデコハウジング２５０の前面部に形成される。また、前記吐出口Ｏを選択的に開閉するために、デコパネル２１８が設けられる。前記デコパネル２１８は、前記吐出口Ｏに対応する形状であり、吐出口Ｏよりも相対的に左右に広く形成される。図１２に示すように、前記デコパネル２１８は、前記送風ケース２１２の前後に移動し、前記吐出口Ｏを開閉させる。
【００６９】
また、前記デコパネル２１８の動作のために、図４に示すように、一対のステップモータＭ、ギアＧ１、およびラックＲが設けられている。前記ステップモータＭは、前記デコパネル２１８を移動させるための駆動力を提供する。前記ステップモータＭは、前記吐出口Ｏに隣接した前記送風ケース２１２の前端の両側に固定される。前記ギアＧ１は、前記ステップモータＭの駆動軸に連結された状態で前記ラックＲと噛み合わされる。前記ラックＲは、前記デコパネル２１８の裏面の両側に設けられる。前記ラックＲは、前記吐出口Ｏの外側に該当するデコパネル２１８の裏面に略直交して後方に延長される。
【００７０】
また、前記ラックＲの一方には、係止フックＨが設けられる。前記係止フックＨは、前記ステップモータＭの駆動により、前記ケース２１０の前方に移動する前記デコパネル２１８がケース２１０から完全に取り外されることを防止する。前記係止フックＨは、前記ラックＲの一方から後方に所定の長さだけ延長される。
【００７１】
前記係止フックＨの一端は、前記デコパネル２１８の裏面に隣接した前記ラックＲの前端に固定される。また、前記係止フックＨの先端は、前記ケース２１０の後方に延長される。したがって、前記係止フックＨは、前記ラックＲに対して左右に所定の弾性を有するようになる。また、前記係止フックＨの先端には、係止突起ｈが設けられている。前記係止突起ｈは、後述するストッパーＳの先端に係止されるようになる。
【００７２】
一方、さらに図２を参照すると、前記フィルタケース２１６は、前後に長く形成される直方体状に形成される。また、前記フィルタケース２１６は、前記送風ケース２１２の両端にそれぞれ左右に移動可能に結合される。前記フィルタケース２１６は、上面と前面および両端が開口される。前記フィルタケース２１６の上面は、ケースカバー（図示せず）によりそれぞれ遮蔽される。
【００７３】
前記フィルタケース２１６のそれぞれの内側端部は、前記送風ケース２１２の開口した一端に連通する。また、前記フィルタケース２１６のそれぞれの外側端部には、前記吸入口Ｉが設けられる。また、前記吸入口Ｉには、吸入グリルＧがそれぞれ装着される。前記吸入グリルＧには、ろ過網が設けられる。前記ろ過網は、前記吸入口Ｉから吸入される空気中に含まれた異物をろ過する役割をする。
【００７４】
また、図３に示すように、前記フィルタケース２１６の底面にも、収納部２１６ａが設けられる。前記収納部２１６ａには、装着ブラケット２６０が収納される。前記収納部２１６ａは、前記送風ケース２１２の収納部２１２ａと比較して、相対的に後方に該当する前記フィルタケース２１６の底面の後端にそれぞれ設けられる。
【００７５】
前記フィルタケース２１６の底面の外側端部および後端には、支持部２１６ｂが設けられる。前記支持部２１６ｂは、前記空気清浄機２００が前記本体２０の上面に収納された状態で、その下端が本体２０の上面に密着し、前記ケース２１０を支持する役割をする。
【００７６】
前記フィルタケース２１６には、開口した前面を貫通し、後述するフィルタ部２２０が着脱自在に装着される。また、前記フィルタケース２１６の内側端部の下端には、少なくとも一つの締付片２１７が設けられる。前記締付片２１７は、前記送風ケース２１２とフィルタケース２１６を固定するためのものである。
【００７７】
前記締付片２１７は、前記フィルタケース２１６の底面の内側端部から水平に所定の長さだけ延長される。また、前記締付片２１７には、締付孔２１７ａがそれぞれ形成される。前記締付孔２１７ａを貫通した締付具（図示せず）は、前記送風ケース２１２の底面に形成される複数個の締付孔（図示せず）に選択的に締め付けられる。したがって、前記本体２０の上面の左右幅に応じて、前記ケース２１０の左右幅を調節可能になる。ここで、前記送風ケース２１２の底面に形成される締付孔は、前記フィルタケース２１６の移動により、前記締付片２１７の締付孔２１７ａが形成する軌跡上に位置される。
【００７８】
さらに図２を参照すると、前記吸入口Ｉから前記ケース２１０の内部に吸入される空気を浄化するためにフィルタ部２２０が設けられる。前記フィルタ部２２０は、前記フィルタケース２１６の開口した前面から前記フィルタケース２１６の内部に装着される。
【００７９】
前記フィルタ部２２０は、複数個のフィルタ２２２、２２３、２２４、２２５と、フィルタバスケット２２８と、バスケット引出部２２６とで構成される。前記フィルタ２２２、２２３、２２４、２２５は、所定の厚さを有するパネル状に成形される。前記フィルタ２２２、２２３、２２４、２２５は、前記フィルタバスケット２２８の内部に収納される。前記フィルタバスケット２２８は、前記フィルタケース２１６の内部に着脱自在に装着される。前記バスケット引出部２２６は、前記フィルタバスケット２２８に締め付けられ、引出し式に引き出される。
【００８０】
一方、図６および図７に示すように、前記フィルタ２２２、２２３、２２４、２２５は、抗菌フィルタ２２２と、第１および第２の集塵フィルタ２２３、２２４と、脱臭フィルタ２２５とで構成される。前記抗菌フィルタ２２２、第１の集塵フィルタ２２３、第２集塵フィルタ２２４、脱臭フィルタ２２５の順に、前記吸入口Ｉに隣接して設けられる。すなわち、前記吸入口Ｉから吸入された空気は、前記抗菌フィルタ２２２、第１の集塵フィルタ２２３、第２集塵フィルタ２２４、脱臭フィルタ２２５を順次通過するようになる。
【００８１】
前記抗菌フィルタ２２２は、空気中の各種の細菌を除去するためのものであり、前記抗菌フィルタ２２２は、空気が通過するメッシュの両側面または一側面に、銀や銅からなる抗菌剤をコートして形成される。したがって、前記抗菌フィルタ２２２は、コートされた抗菌剤による抗菌作用のみならず、メッシュそのものによる集塵機能も行う。
【００８２】
前記第１および第２の集塵フィルタ２２３、２２４は、集塵機能、すなわち、前記抗菌フィルタ２２２を通過した空気中のほこりを除去する役割をする。前記第１の集塵フィルタ２２３は、例えば、肉類や魚類を焼く過程で発生する油分を除去するメッシュで形成され得る。また、前記第２の集塵フィルタ２２４は、除去するほこりの大きさが異なる一対のメッシュ、例えば、大きさが０．３μｍ以上であるほこりを除去するメッシュと、０．３μｍ以下であるほこりを除去するメッシュの一面を互いに接着することにより形成され得る。
【００８３】
また、前記脱臭フィルタ２２５は、前記第１および第２の集塵フィルタ２２３、２２４を通過し、ほこりが除去された空気中の悪臭を除去する役割をする。前記脱臭フィルタ２２５は、一般に、炭素を含有した活性炭などで形成される。また、前記脱臭フィルタ２２５の前記第２集塵フィルタ２２４に隣接した一側面に反対する他側面に最終的に抗菌機能を行うための抗菌剤のコートを行うことができる。
【００８４】
一方、前記フィルタバスケット２２８のバスケット本体２２９には、前記フィルタ２２２、２２３、２２４、２２５が収納される収納空間２２９ｓが設けられる。前記バスケット本体２２９は、上面および長手方向の両側面の上端周縁を除いた部分が開口する略六面体状に形成され、前記収納空間２２９ｓの長さと高さは、前記フィルタ２２２、２２３、２２４、２２５のそれに対応して決定される。
【００８５】
前記バスケット本体２２９の前後面の内側と底面には、それぞれ複数個のガイドリブ２２９ａ、２２９ｂが設けられる。前記ガイドリブ２２９ａ、２２９ｂ は、前記収納空間２２９ｓに収納される前記２２２、２２３、２２４、２２５が互いに密着しないように、所定の位置に案内する役割をするものであり、前記収納空間２２９ｓを両側に４部分に区分けする位置にそれぞれ設けられる。
【００８６】
前記ガイドリブ２２９ａ、２２９ｂのうち、前記バスケット本体２２９の前後面の内側に設けられる側面ガイドリブ２２９ａは、前記バスケット本体２２９の前後面の内側に上下に長く形成される。また、前記ガイドリブ２２９ａ、２２９ｂのうち、前記バスケット本体２２９の底面に設けられる底面ガイドリブ２２９ｂは、前記バスケット本体２２９の底面の一部に前後に所定の長さを有するように形成される。
【００８７】
また、前記側面ガイドリブ２２９ａと底面ガイドリブ２２９ｂには、前記収納空間２２９ｓに収納された前記フィルタ２２２，２２３、２２４、２２５の前後端部と下端部がそれぞれ支持される。したがって、前記フィルタ２２２，２２３、２２４、２２５が収納空間２２９ｓに収納された状態で、前記バスケット２２９の底面に対して略直立する状態を維持可能になる。
【００８８】
前記バスケット本体２２９の開口した両側面には、それぞれ複数個の支持リブ２２９ｃ、２２９ｄが設けられる。前記支持リブ２２９ｃ、２２９ｄは、前記バスケット本体２２９を補強すると共に、前記収納空間２２９ｓに収納された前記フィルタ２２２、２２３、２２４、２２５を保護するためのものであり、水平支持リブ２２９ｃと垂直支持リブ２２９ｄとで構成される。
【００８９】
前記水平支持リブ２２９ｃは、前記バスケット本体２２９の開口した両側面に水平に複数個が設けられる。この際、前記水平支持リブ２２９ｃは、前記収納空間２２９ｓの入口から前記バスケット本体２２９の内部に向けて段付きになるように設けられるが、互いに所定の間隔だけ離隔される。例えば、前記バスケット本体２２９の前後面が、その上端に比べて下端が相対的に狭幅の逆台形状に両側面が段付きになり、前記水平支持リブ２２９ｃの両端が、前記バスケット本体２２９の前後面の両端にそれぞれ連結され得る。
【００９０】
前記垂直支持リブ２２９ｄは、前記水平支持リブ２２９ｃを連結するものであり、垂直に複数個が設けられる。前記垂直支持リブ２２９ｄの両端は、互いに隣接した前記水平支持リブ２２９ｃの一方に連結され、または前記水平支持リブ２２９ｃの一方と前記バスケット本体２２９の両側面の上端周縁の一方または底面周縁の一方に連結される。この際、前記垂直支持リブ２２９ｄは、前記水平支持リブ２２９ｃの外側面に固定され、前記バスケット本体２２９の両側面の上端周縁から底面周縁まで連続的に設けられる。
【００９１】
図７において、未説明の参照符号PRは、前記フィルタバスケット２２８を射出成形するために用いられる上下の金型が当接する分割線である。
【００９２】
前記バスケット引出部２２６は、上面および両側面が開口した前後に長い六面体状に形成される。前記バスケット引出部２２６の前面は、後述するデコハウジング２５０のフィルタ装着開口２５２に比べて相対的に大きく形成され、前記ビスケット引出部２２６の後面は、フィルタ装着開口２５２に比べて相対的に小さく形成される。
【００９３】
また、前記バスケット引出部２２６は、前記フィルタハウジング２１６の開口した前面を貫通し、前後に移動することにより、前記フィルタケース２１６の内外部に着脱される。すなわち、前記バスケット引出部２２６は、前記フィルタ２２２、２２３、２２４、２２５が収納された前記フィルタバスケット２２８が載置された状態で、前記フィルタケース２１６の内部に収納され、または外部に引き出される。
【００９４】
図示されてはいないが、前記バスケット引出部２２６が前記フィルタケース２１６の内部に収納された状態で、任意に移動することを防止するための固定手段が設けられてもよい。また、前記バスケット引出部２２６の移動を案内するためのガイド手段が設けられてもよい。
【００９５】
一方、前記送風ケース２１２の内部には、送風装置２３０が設けられている。前記送風装置２３０は、前記吸入口Ｉから空気を吸入し、前記フィルタ部２２０で浄化された空気を前記吐出口Ｏから外部へ吐出させる役割をする。このような前記送風装置２３０は、軸方向に吸入された空気を円周方向に吐出させる送風ファン（図示せず）と、前記送風ファンが内部に設けられるファンハウジング２３２と、前記送風ファンを駆動させる駆動モータ（図示せず）とを備えて構成される。
【００９６】
前記ファンハウジング２３２の下面には、前記吸入口Ｉから吸入される空気が流入する流入部（図示せず）が設けられている。また、前記ファンハウジング２３２の前面には、前記流入部からファンハウジング２３２の内部に流入され、前記送風ファンにより加圧された空気が排出される排出部（図示せず）が設けられる。
【００９７】
前記ファンハウジング２３２の上下面を支持するために、支持ボス２１３が設けられる。前記支持ボス２１３は、前記送風ケース２１２の天井と底面の互いに対応する位置において向かい合う方向に所定の長さだけ突出するが、その先端が、前記ファンハウジング２３２の一方に設けられる締付突部２３３に隣接して位置される。このような前記支持ボス２１３により、前記送風ケース２１２の底面と前記ファンハウジング２３２の底面との間に空気が流動可能な所定の空間が確保される。
【００９８】
図８乃至図１０に示すように、前記支持ボス２１３の先端には、振動吸収部２１３ａが設けられる。前記振動吸収部２１３ａは、前記送風装置２３０の動作中に発生する振動を吸収するために所定の弾性を有する材質で形成されるものであり、前記支持ボス２１３の先端と、前記ファンハウジング２３２の上面または下面との間の距離よりも相対的に厚く形成されることが好ましい。
【００９９】
また、前記支持ボス２１３の先端には、側面ガイド２１４が設けられる。前記側面ガイド２１４は、前記ファンハウジング２３２の側面を支持するためのものであり、前記締付突部２３３の形状に対応して、略所定の中心角を有する扇形状に形成される。また、前記側面ガイド２１４の内側面には、シール部２１４ａが設けられる。前記シール部２１４ａは、前記送風装置２３０の振動が、前記締付突部２３３と側面ガイド２１４から、前記空気清浄機２００および冷蔵庫に伝達されることを防止する役割をする。
【０１００】
また、図２に示すように、前記送風ケース２１２の内部には、エアガイド２３４が設けられる。前記エアガイド２３４は、前記送風ケース２１２の内部を吸入流路Ａと吐出流路Ｂに区分けする役割をするものであり、前記吸入流路Ａにより、前記吸入口Ｉから吸入される空気が前記ファンハウジング２３２の流入部に案内され、前記吐出流路Ｂにより、前記ファンハウジング２３２の排出部から排出される空気が前記吐出口Ｏに案内される。また、前記エアガイド２３４の一方には、前記ファンハウジング２３２の排出部に連通する開口部（図示せず）が形成される。
【０１０１】
一方、前記送風ケース２１２の内部には、陰イオン発生装置２４０が設けられる。前記陰イオン発生装置２４０は、前記吐出流路Ｂの内部に位置される。前記陰イオン発生装置２４０で発生した陰イオンは、前記送風装置２３０により送風される空気と共に、前記吐出口Ｏから外部に吐出される。
【０１０２】
図２および図３に示すように、前記ケース２１０の前端には、デコハウジング２５０が設けられる。前記デコハウジング２５０は、前記送風ケース２１２およびフィルタケース２１６が結合された状態で、前記ケース２１０の開口した前面および前端周縁を取り囲むように、前面部と上下面部、両側面部で構成される。
【０１０３】
さらに図４および図５を参照すると、前記デコハウジング２５０の前面部には、前記吐出口Ｏとラック貫通開口２５１、フィルタ装着開口２５２がそれぞれ形成される。前記吐出口Ｏは、前記吐出流路Ｂの前端に位置される。また、前記ラック貫通開口２５１を貫通して、前記ラックＲが移動する。前記フィルタ装着開口２５２から前記バスケット引出部２２６が、前記フィルタケース２１６の内部に装着される。
【０１０４】
また、前記ラック貫通開口２５１の一方に連通して、フック貫通開口２５１ａが形成される。前記ラック貫通開口２５１は、前記係止フックＨの形状に対応して形成される。また、前記係止フックＨが前記フック貫通開口２５１ａを貫通する。また、前記デコハウジング２５０の前面部の内側面には、ストッパーＳが設けられる。
【０１０５】
前記ストッパーＳは、前記デコパネル２１８が、前記ケース２１０の前方に完全に取り外されることを防止する役割をする。前記ストッパーＳは、前記係止フックＨに対応する前記フック貫通開口２５１ａの一方から前記ケース２１０の後方に延長される。前記デコパネル２１８が前記ケース２１０の前方に移動し、前記吐出口Ｏが開放した状態で、前記係止フックＨの係止突起ｈが前記ストッパーＳの先端に係止するようになる。
【０１０６】
前記ストッパーＳの長さｍは、前記係止フックＨの長さｌよりも相対的に短く形成される。図示された実施形態では、前記係止フックＨの前端から前記係止突起ｈまでの長さｌが略１５ｍｍとなり、前記ストッパーＳの長さｍは、略１０ｍｍとなると、前記デコパネル２１８は、前記吐出口Ｏから略５ｍｍの長さだけ突出する。したし、前記係止フックＨおよびストッパーＳは、様々な構成が可能である。
【０１０７】
一方、前記ストッパーＳを除いた前記ラック貫通開口２５１およびフック貫通開口２５１ａの周縁には、ガイド部２５１ｇが設けられる。前記ガイド部２５１ｇは、前記ラックＲおよび係止フックＨの移動を案内する役割をする。前記ガイド部２５１ｇは、前記ラック貫通開口２５１およびフック貫通開口２５１ａの周縁から、前記デコハウジング２５０の前面部の内側面に直交して後方に所定の長さだけ延長される。
【０１０８】
前記デコハウジング２５０の前面部には、パネル収納段２５９ａの一対の引出部収納段２５９ｂ（図１２参照）が設けられる。前記パネル収納段２５９ａと引出部収納段２５９ｂは、それぞれ前記デコパネル２１８とバスケット引出部２２６の大きさおよび形状に対応して形成される。
【０１０９】
前記パネル収納段２５９ａには、前記吐出口Ｏが遮蔽された状態で、前記デコパネル２１８が収納される。また、前記引出部収納部２５９ｂには、前記フィルタバスケット２２８が、前記フィルタケース２１６の内部に装着された状態で、前記バスケット引出部２２６が収納される。
【０１１０】
また、図２および図３を参照すると、前記デコハウジング２５０の上下面には、複数個の締付片２５４が設けられる。前記締付片２５４には、締付孔２５４ａがそれぞれ形成される。また、前記デコハウジング２５０を前記ケース２１０に固定させるための締付具（図示せず）が前記締付孔２５４ａを貫通する。
【０１１１】
前記吐出口Ｏとフィルタ装着開口２５２との間に該当する前記デコハウジング２５０の前面部の一方には、操作部２５６が設けられる。前記操作部２５６は、前記空気清浄機２００の動作のための操作信号を入力される。
【０１１２】
図３に示すように、前記デコハウジング２５０の下面の後端には、装着フランジ２５３が設けられる。前記装着フランジ２５３は、前記ケース２１０の前端から所定の距離だけ後方に位置される。
【０１１３】
また、前記装着フランジ２５３の一方には、装着孔２３５が形成される。前記装着孔２３５には、表示部２５８が装着される。前記表示部２５８は、前記空気清浄機２００の動作に関する各種の情報を外部に表示する。
【０１１４】
前記表示部２５８は、その前面が、前記本体２０および前記装着フランジ２５３の前面と同一の平面上に位置されるように設置される。したがって、前記本体２０に設けられたドア２２の開放状態では、前記表示部２５８が外部に露出する。しかし、前記ドア２２の閉鎖状態では、前記表示部２５８が外部に露出しないようになる。
【０１１５】
また、前記空気清浄機２００の前面の外観の統一感を与えるために、前記デコパネル２１８、バスケット引出部２２６、デコハウジング２５０は、同一の材質で形成されることが好ましい。例えば、前記デコパネル２１８、バスケット引出部２２６、デコハウジング２５０を同一のＡＢＳ樹脂で形成することができる。
【０１１６】
図３に示すように、前記空気清浄機２００を前記本体２０に装着するために装着ブラケット２６０が設けられる。前記装着ブラケット２６０には、図１１に示すように、一対の固定部２６２と結合部２６４とで構成される。前記固定部２６２は、前記ケース２１０の底面に固定される。また、前記結合部２６４は、前記本体２０の上面に結合される。前記装着ブラケット２６０は、前記固定部２６２に対する前記結合部２６４の弾性により、前記空気清浄機２００を前記本体２０の上面に装着させる。
【０１１７】
前記固定部２６２は、前記結合部２６４の両端に設けられる。また、前記固定部２６２には、それぞれ締付孔２６３が形成される。前記装着ブラケット２６０が前記ケース２１０の収納部２１２ａ、２１６ａに収納された状態で、前記締付孔２６３を貫通したスクリュー（図示せず）が、前記収納部２１２ａ、２１６ａに形成される締付孔（図示せず）に締め付けられる。
【０１１８】
前記結合部２６４は、前記固定部２６２に対して、所定の角度で傾斜して形成される。また、前記結合部２６４には、通過孔２６５と結合スリット２６６が形成される。前記通過孔２６５は、前記本体２０の上面に固定される結合ピンＰのヘッド部Ｐｈに対応する形状に形成される。前記結合スリット２６６は、前記通過孔２６５に連通する。
【０１１９】
前記結合ピンＰのヘッド部Ｐｈが、前記通過孔２６５を貫通した状態で、前記結合ピンＰのボディ部Ｐｂが、前記結合スリット２６６に沿って移動する。この際、前記ヘッド部Ｐｈが前記結合部２６４を押圧する弾性により、前記結合部２６４が、前記本体２０の上面に結合される。
【０１２０】
以下、このように構成される本発明による空気清浄機を備えた冷蔵庫の作用について説明する。
【０１２１】
本発明による空気清浄機を備えた冷蔵庫の好適な実施形態を構成する空気清浄機を、冷蔵庫本体の上面に装着する過程をより詳述する。
【０１２２】
まず、前記ケース２１０の収納部２１２ａ、２１６ａに、前記装着ブラケット２６０を収納させる。次に、前記装着ブラケット２６０の固定部２６２を前記ケース２１０の底面に固定する。
【０１２３】
また、前記本体２０の上面に設けられる結合ピンＰのヘッド部Ｐｈを、前記装着ブラケット２６０の結合部２６４に形成される通過孔２６５を通過させる。このような状態で、前記空気清浄機２００を前記本体２０の前方に引っ張る。これにより、前記結合ピンＰのボディ部Ｐｂが、前記結合スリット２６６に沿って移動する。この際、前記ヘッド部Ｐｈが、前記結合部２６４を押圧する弾性により、前記空気清浄機２００が前記本体２０の上面に装着される。また、前記ケース２１０の支持部２１６ｂが、前記本体２０の上面に密着し、前記空気清浄機２００が支持される。
【０１２４】
このように前記装着ブラケット２６０により、前記空気清浄機２００が前記本体２０の上面に装着されるので、前記空気清浄機２００の装着状態がさらに堅固になる。また、特別な機能がない作業者も、前記空気清浄機２００を前記本体２０の上面に容易に装着することが可能である。
【０１２５】
次に、添付図面を参照して、このような空気清浄機が動作する過程についてより詳述する。
【０１２６】
図１２は、本発明による空気清浄機を備えた冷蔵庫の好適な実施形態を構成する空気清浄機の内部において、空気が流動する状態を示している。
【０１２７】
図１２に示すように、まず、前記操作部２５６を操作すると、前記空気清浄機２００を動作させる操作信号を入力する。このように操作信号が入力されると、前記ステップモータＭにより前記ギアＧ１が回転する。また、前記ギアＧ１に噛み合わされた前記ラックＲが、前記ラック貫通開口２５１を貫通して移動する。したがって、前記デコパネル２１８が、前記ケース２１０の前方に移動し、前記吐出口Ｏが開放される。
【０１２８】
この際、前記係止フックＨも、前記フック貫通開口２５１ａを貫通し、前記ケース２１０の前方に移動する。また、前記係止フックＨが所定の距離だけ移動すると、前記係止フックＨの係止突起ｈが前記ストッパーＳの先端に密着する。したがって、前記デコパネル２１８が、これ以上、前記ケース２１０の前方に移動しないようになる。
【０１２９】
すなわち、前記デコパネル２１８は、前記係止フックＨの係止突起ｈと前記ストッパーＳの先端との間の距離だけ、前記ケース２１０の前方に移動するようになる。したがって、前記ステップモータＭが誤作動し、設定値よりもさらに駆動されても、前記デコパネル２１８が、前記ケース２１０から完全に取り外さないようになる。
【０１３０】
また、使用者が、前記デコパネル２１８を、前記ケース２１０の前方に強制に引っ張り、または、前記ケース２１０の後方に押して動作させる場合は、前記デコパネル２１８の両側に均一の大きさの外力が作用し難くなる。したがって、例えば、前記デコパネル２１８の左側が右側に比べて相対的に速く移動し、前記ケース２１０の前面から突出され得る。
【０１３１】
このような状態で、前記操作部２５６を操作し、前記空気清浄機２００を動作させると、前記ステップモータＭが駆動し、前記ギアＧ１が回転する。また、前記ギアＧ１に噛み合わされた前記ラックＲが移動する。したがって、デコパネル２１８が、前記ケース２１０の前方に移動し、前記吐出口Ｏが開放される。
【０１３２】
ところが、前記デコパネル２１８の左側が右側よりも相対的に前記ケース２１０の前方に突出した状態であるので、前記デコパネル２１８の左側が、その右側よりも先に前記係止フックＨと前記ストッパーＳにより停止される。この際、前記デコパネル２１８の右側が、前記係止フックＨと前記ストッパーＳにより停止するまで、継続して前記ケース２１０の前方に移動する。したがって、前記デコパネル２１８のいずれか一方が、前記ケース２１０の前面から突出せず、ケース２１０の前面に対して平行をなすようになる。
【０１３３】
また、前記送風装置２３０が動作すると、前記吸入口Ｉから前記ケース２１０の内部に空気が吸入される。この際、前記吸入口Ｉから吸入される空気は、前記吸入グリルＧのろ過網により、空気中の異物のうち、相対的に大きなほこりがろ過される。また、このように前記吸入グリルＧを通過した空気は、前記フィルタ２２２、２２３、２２４、２２５を順に通過しながら浄化される。
【０１３４】
すなわち、前記抗菌フィルタ２２２を通過しながら細菌が除去されると共に、ほこり等が除去される。また、前記第１および第２の集塵フィルタ２２３、２２４を通過しながら、空気中に含まれた飲食を焼く過程で発生した油分とほこりが除去される。次に、前記脱臭フィルタ２２５により、空気中の悪臭が除去される。また、前記脱臭フィルタ２２５にコートされた抗菌剤により、未だ除去されなかった細菌が除去される。したがって、前記フィルタ２２２、２２３、２２４、２２５による空気の浄化がさらに効率的に行われる。
【０１３５】
このように浄化された空気は、前記吸入流路Ａにより、前記送風装置２３０に案内される。この際、前記フィルタ２２２、２２３、２２４、２２５を通過した空気は、前記支持ボス２１３により形成される前記ケース２１０の底面と前記ファンハウジング２３２の下面との間の空間から、ファンハウジング２３２の流入部に流入される。
【０１３６】
また、前記送風装置２３０の継続的な駆動により、前記ファンハウジング２３２の流入部に流入された空気は、ファンハウジング２３２の排出部に排出される。前記ファンハウジング２３２の排出部に排出される空気は、前記吐出流路Ｂにより案内され、前記吐出口Ｏから室内に吐出される。
【０１３７】
この際、前記吐出口Ｏから吐出される空気は、前記陰イオン発生装置２４０で発生した陰イオンと共に吐出される。また、前記吐出口Ｏから吐出される空気は、前記デコパネル２１８の裏面により案内され、上方または下方に向けて吐出される。
【０１３８】
一方、前記空気清浄機２００の動作を停止させるために、前記操作部２５６を操作して操作信号を入力する。このように入力された操作信号により、前記送風装置２３０の動作が停止される。したがって、前記吸入口Ｉを通じた空気の吸入および前記吐出口Ｏを通じた空気の吐出が行われないようになる。
【０１３９】
また、前記ステップモータＭが、上述した前記デコパネル２１８を前記ケース２１０の前方に移動させるために駆動する方向と反対方向に駆動する。このような前記ステップモータＭ１の駆動により、前記ギアＧ１が回転する。また、前記ギアＧ１の回転により、前記ラックＲが前記ラック貫通開口２５１から前記ケース２１０の後方に移動する。
【０１４０】
このように前記ラックＲが移動すると、前記係止フックＨも前記ケース２１０の後方に移動する。したがって、前記係止突起ｈが前記ストッパーＳの先端に密着した状態で離隔する。また、前記デコパネル２１８が、前記ケース２１０の後方に移動する。したがって、前記デコパネル２１８が前記吐出口Ｏを遮蔽するようになる。この際、前記デコパネル２１８が、前記パネル収納段２５９ａに収納されることにより、これ以上、前記ケース２１０の後方に移動しないようになる。
【０１４１】
一方、前記ファンハウジング２３２と前記支持ボス２１３および側面ガイド２１４との間に設けられる、それぞれ振動吸収部２１３ａとシール部２１４ａにより、前記送風装置２３０の動作により発生する振動が吸収される。したがって、前記送風装置２３０の振動が前記ケース２１０および冷蔵庫の本体２０から外部に伝達されないようになる。このため、前記空気清浄機２００の動作により、騒音が発生し、または、製品の耐久性が低下しないようになる。
【０１４２】
次に、本発明による空気清浄機を備えた冷蔵庫の好適な実施形態を構成するフィルタバスケットの作製過程について説明する。
【０１４３】
前記フィルタバスケット２８８は、射出成形により作製される。ところが、前記支持リブ２２９ｃ、２２９ｄは、前記バスケット本体２２９の内部に向けて段付きになっている。したがって、バスケット本体２２９と支持リブ２２９ｃ、２２９ｄが上下方向に重ならないようになる。
【０１４４】
このように、前記バスケット本体２２９と支持リブ２２９ｃ、２２９ｄが上下方向に重ならないように設計することにより、前記フィルタバスケット２２８の射出成形の際に、前記分割線PRを中心に、上金型と下金型で構成される二つの金型以外に、別途のコアを必要としないようになる。したがって、作製費用および作製のための作業工程が減少する。
【０１４５】
以下、添付図面を参照して、本発明による空気清浄機を備えた冷蔵庫の他の実施形態について詳述する。
【０１４６】
図１３は、本発明による空気清浄機を備えた冷蔵庫の他の実施形態を示し、図１４は、図１３に示した実施形態を構成するルーバーブレードを示している。
【０１４７】
これらに図示のように、冷蔵庫の本体２の内部には、冷凍室Ｆおよび冷蔵室Ｒが並設されている。また、前記本体２の前面には、前記冷凍室Ｆおよび冷蔵室Ｒを選択的に開閉するための冷凍室ドア４および冷蔵室ドア６がヒンジアセンブリ４ａ、６ａにより回動可能に設置される。
【０１４８】
前記本体２の上面には、空気清浄機１０が設けられる。前記空気清浄機１０は、外観をケース１２が形成する。前記ケース１２には、吸入口Ｉおよび吐出口Ｏが形成される。また、前記吐出口Ｏには、各領域Ａ、Ｂにおいて、吐出風向を様々に具現可能に、複数個のルーバーブレードＢ１、Ｂ２がそれぞれ設置される。
【０１４９】
前記吸入口Ｉは、前記ケース１２の両側面に設けられ、前記吐出口Ｏは、前記ケース１２の前面に設けられる。前記ケース１２の内部には、前記吸入口Ｉから吸入される空気をろ過するフィルタ部（図示せず）と、前記吸入口Ｉから空気を吸入し、前記フィルタ部でろ過された空気を、前記吐出口Ｏから吐出させる送風装置（図示せず）と、前記吐出口Ｏから空気と共に吐出される陰イオンを発生させる陰イオン発生装置（図示せず）とが設けられる。また、前記ケース１２の内部には、このような各種の構成に電源を供給し、動作を制御するための制御部（図示せず）が設けられる。
【０１５０】
また、前記ケース１２の内部には、前記送風装置により送風される空気の流動を案内するエアガイド（図示せず）が設けられることが好ましい。前記吸入口Ｉには吸入グリルＧが設けられる。前記吐出口Ｏには、複数個のルーバーブレードＢ１、Ｂ２が垂直に並設される。
【０１５１】
図３に示すように、前記ルーバーブレードＢ１、Ｂ２は、前記吐出口Ｏの一方Ａに互いに連結されて設置される複数個の第１のルーバーブレードＢ１と、前記吐出口Ｏの他方Ｂに互いに連結されて設置される複数個の第２のルーバーブレードＢ２とで構成される。前記第１および第２のルーバーブレードＢ１、Ｂ２は、前記吐出口Ｏの各領域Ａ、Ｂにおいて吐出される吐出風向を異なるように調節可能に、それぞれが別途に連動して構成されることが好ましい。
【０１５２】
ここで、前記第１および第２のルーバーブレードＢ１、Ｂ２は、上下端がそれぞれ前記吐出口Ｏの各領域Ａ、Ｂに回転可能に設置される。前記第１および第２のルーバーブレードＢ１、Ｂ２は、それぞれ回転リンク１４ａ、１４ｂおよび一対のレバー１６ａ、１６ｂにより互いに連結されてそれぞれ連動される。もちろん、前記第１および第２のルーバーブレードＢ１、Ｂ２、回転リンク１４ａ、１４ｂ、一対のレバー１６ａ、１６ｂは、様々な形態の組立用溝および組立用突起または組立ネジ等により連結して設置されてもよい。
【０１５３】
この際、前記第１のルーバーブレードＢ１と連結された回転リンク１４ａの少なくとも一つは、別途の第１のステップモータ（図示せず）と連結される。前記第２のルーバーブレードＢ２と連結された回転リンク１４ｂの少なくとも一つも、別途の第２のステップモータ（図示せず）と連結される。前記第１および第２のステップモータは、電源の供給および動作の制御のために、前記制御部と連結される。もちろん、前記第１および第２のルーバーブレードＢ１、Ｂ２は、使用者により手動で回転可能に調節されてもよい。
【０１５４】
前記制御部は、使用者の選択により、前記第１および第２のルーバーブレードＢ１、Ｂ２を制御する。この際、前記制御部は、前記第１および第２のルーバーブレードＢ１、Ｂ２を同一の方向に回転するように制御し、前記吐出口Ｏから一定の方向にのみ浄化された空気が吐出されるように制御することができる。また、前記制御部は、前記第１および第２のルーバーブレードＢ１、Ｂ２を互いに反対方向に回転するように制御し、前記吐出口Ｏから一度に二つの吐出方向に浄化された空気が吐出されるように制御することができる。
【０１５５】
一方、前記吐出口Ｏは、上下方向に段付きになる複数個で構成されてもよい。また、このように段付きになる前記吐出口Ｏには、複数個のルーバーブレードが垂直に並設されてもよい。例えば、前記吐出口Ｏが、上下部の吐出口で構成され、各吐出口には、ルーバーブレードが連動して設置されてもよい。このような場合は、前記上部の吐出口に設けられるルーバーブレードは、一方向に回転され、浄化された空気を一方向に吐出されるようにし、前記下部の吐出口に設けられるルーバーブレードは、反対方向に回転され、浄化された空気を、前記吐出口から吐出される方向と反対方向に吐出されるようにすることができる。もちろん、前記上下部の吐出口に設けられるルーバーブレードを、領域毎に分けて互いに連動されるように構成することにより、各吐出口でも、一度に様々な吐出風向を具現することができる。
【０１５６】
以下、添付図面を参照して、本発明による空気清浄機を備えた冷蔵庫の他の実施形態の作用について説明する。
【０１５７】
図１５乃至図１７は、図１３に示した実施形態を構成するルーバーブレードの動作状態を示している。
【０１５８】
まず、使用者が空気清浄機１０を作動させると、前記送風装置が駆動する。したがって、ケース１２の吸入口Ｉから前記ケース１２の内部に空気が吸入される。このように前記ケース１２の内部に吸入される空気は、フィルタ部を通過しながら浄化される。
【０１５９】
また、前記送風装置の継続的な駆動により、陰イオン発生装置で発生した陰イオンと共に、前記ケース１２の吐出口Ｏから室内に吐出される。この際、前記ケース１２の吐出口Ｏの両側領域Ａ、Ｂに設置される前記第１および第２ルーバーブレードＢ１、Ｂ２の回転方向に応じて吐出風向を調節することができる。
【０１６０】
これをより詳述すると、前記空気清浄機１０の前方の一方、すなわち、図面上の右側または左側に他の家電製品または壁等のような障害物が位置することもある。このような場合も、図１５または図１６に示すように、前記第１および第２のルーバーブレードＢ１、Ｂ２を障害物が位置する方向と反対方向、すなわち、図面上の左側または右側に回転させる。したがって、前記吐出口Ｏの各領域Ａ、Ｂにおいて、吐出される浄化された空気が障害物により干渉されないように一方向に吐出される。
【０１６１】
一方、前記空気清浄機１０の前方の中央に障害物が位置することもある。このような場合は、図１７に示すように、前記第１および第２のルーバーブレードＢ１、Ｂ２を互いに反対方向、すなわち、図面上の左側または右側に回転させるようになる。したがって、前記吐出口Ｏの各領域Ａ、Ｂにおいて、吐出される浄化された空気が障害物により干渉されないように両方向に吐出され、より広い効率的に浄化された空気が供給される。
【０１６２】
このような本発明の基本的な技術的思想の範疇内で、当業界の通常の知識を有する者にとっては、他の多くの変形が可能であることはもとより、本発明の権利範囲は、添付の特許請求の範囲に基づいて解釈されなければならない。
【図面の簡単な説明】
【０１６３】
【図１】従来の技術による空気清浄機を備えた冷蔵庫を構成する空気清浄機のカバーを取り外し、その内部を示す分解斜視図である。
【図２】本発明による空気清浄機を備えた冷蔵庫の好適な実施形態を構成する空気清浄機のカバーを取り外し、その内部を示す斜視図である。
【図３】図２に示した実施形態を構成する空気清浄機の底面を示す斜視図である。
【図４】図２に示した実施形態を構成するデコパネルがケースに連結される構造を示す平面図である。
【図５】図２に示したラック貫通開口とフック貫通開口を有するデコハウジングの一部を示す斜視図である。
【図６】図２に示した実施形態を構成するフィルタとフィルタバスケットを示す分解斜視図である。
【図７】図２に示した実施形態を構成するフィルタバスケットの成形状態を示す側断面図である。
【図８】図２に示した実施形態を構成するファンハウジングがケースに装着される構造を示す平面図である。
【図９】図８のＡ−Ａ’線による断面図である。
【図１０】図８に示した支持ボスと側面ガイドを示す斜視図である。
【図１１】図３に示した装着ブラケットを示す斜視図である。
【図１２】図２に示した実施形態の内部における空気の流動状態を示す空気の流れ図である。
【図１３】本発明による空気清浄機を備えた冷蔵庫の他の実施形態を示す分解斜視図である。
【図１４】図１３に示した実施形態を構成するルーバーブレードを示す分解斜視図である。
【図１５】図１３に示した実施形態を構成するルーバーブレードの動作状態を示す斜視図である。
【図１６】図１３に示した実施形態を構成するルーバーブレードの動作状態を示す斜視図である。
【図１７】図１３に示した実施形態を構成するルーバーブレードの動作状態を示す斜視図である。
【図１】
2008502873.tif 000003
【図２】
2008502873.tif 000004
【図３】
2008502873.tif 000005
【図４】
2008502873.tif 000006
【図５】
2008502873.tif 000007
【図６】
2008502873.tif 000008
【図７】
2008502873.tif 000009
【図８】
2008502873.tif 000010
【図９】
2008502873.tif 000011
【図１０】
2008502873.tif 000012
【図１１】
2008502873.tif 000013
【図１２】
2008502873.tif 000014
【図１３】
2008502873.tif 000015
【図１４】
2008502873.tif 000016
【図１５】
2008502873.tif 000017
【図１６】
2008502873.tif 000018
【図１７】
2008502873.tif 000019
【国際調査報告】
2008502873.tif 000020